(57)【要約】【課題】本発明は、デバイスを無線で接続する方法およびシステムを提供する。【解決手段】一実施形態における、コンピュータで実現される無線接続システムで実行されるデバイスの無線接続方法は、ユーザのアカウントによってリモートアクセスが可能な機器のリストを提供し、前記リモートアクセスが可能な機器のリストに基づいて少なくとも１つ以上の機器を接続し、前記接続した機器に存在するフォルダのリストおよび前記フォルダに含まれたファイルのリストをアップデートし、前記接続した機器と関連するファイルを統合管理すること、を含む。【選択図】図１
2019021290.tif 000002
【特許請求の範囲】
【請求項１】
コンピュータで実現される無線接続システムで実行されるデバイスの無線接続方法であって、
ユーザのアカウントによってリモートアクセスが可能な機器のリストを提供し、
前記リモートアクセスが可能な機器のリストに基づいて少なくとも１つ以上の機器を接続し、
前記接続した機器に存在するフォルダのリストおよび前記フォルダに含まれたファイルのリストをアップデートし、
前記接続した機器と関連するファイルを統合管理すること、
を含む、無線接続方法。
【請求項２】
前記統合管理することは、
前記接続した機器と関連するファイルディレクトリを提供すること、
を含む、請求項１に記載の無線接続方法。
【請求項３】
前記統合管理することは、
前記接続した機器のうちの第１電子機器から第２電子機器にアクセスが試行されることに応答し、前記第２電子機器に存在するファイルディレクトリを閲覧するように許可すること、
を含む、請求項２に記載の無線接続方法。
【請求項４】
前記統合管理することは、
前記接続した機器のうちの第１電子機器から第２電子機器と関連するファイルがリクエストされることにより、前記第２電子機器から送信された前記第１電子機器からリクエストされたファイルを受信し、前記第２電子機器から受信したファイルを前記第１電子機器に送信し、前記ファイルを前記第１電子機器のローカルドライブにダウンロードすること、
を含む、請求項２に記載の無線接続方法。
【請求項５】
前記統合管理することは、
前記接続した機器と関連して提供されたファイルディレクトリから選択されたファイルを前記ユーザのアカウントによって構成されたネットワークドライブにアップロードすること、
を含み、
前記ユーザのアカウントによって構成されたネットワークドライブは、
前記ユーザが利用する少なくとも１つ以上のサーバ上のクラウドストレージと連動し、前記連動したクラウドストレージを統合管理すること、
を含む、請求項１に記載の無線接続方法。
【請求項６】
前記統合管理することは、
前記接続した機器のうちの第１電子機器から第２電子機器と関連するファイルを前記ネットワークドライブにアップロードすることがリクエストされることにより、前記第１電子機器からリクエストされた第２電子機器と関連するファイルを前記第２電子機器から受信し、前記第２電子機器から受信したファイルをネットワークドライブにアップロードすること、
を含む、請求項５に記載の無線接続方法。
【請求項７】
前記統合管理することは、
前記接続した機器のうちの第１電子機器から前記ネットワークドライブにアップロードされたファイルに対してダウンロードがリクエストされ、前記第１電子機器からリクエストされたファイルを前記ネットワークドライブを通じてダウンロードし、前記ダウンロードされたファイルを第１電子機器のローカルドライブに送信すること、
を含む、請求項５に記載の無線接続方法。
【請求項８】
前記統合管理することは、
前記第１電子機器または第２電子機器からリクエストされた命令の進行状態を提供すること、
を含む、請求項３に記載の無線接続方法。
【請求項９】
前記リモートアクセスが可能な機器のリストに基づいて少なくとも１つ以上の機器を接続することは、
前記ユーザのアカウントに接続した機器とのマッピングを解除し、前記リモートアクセスが可能な機器のリストから削除すること、
を含む、請求項１に記載の無線接続方法。
【請求項１０】
前記リモートアクセスが可能な機器のリストから選択された少なくとも１つ以上の機器を接続することは、
前記接続した機器の接続状態に応じ、前記接続した機器のファイル／フォルダリストにアクセスが可能となるように提供すること、
を含む、請求項１に記載の無線接続方法。
【請求項１１】
前記統合管理することは、
前記接続した機器に格納されたファイルを予め設定された類型に分類し、前記分類されたファイルのリストを提供すること、
を含む、請求項１に記載の無線接続方法。
【請求項１２】
前記統合管理することは、
前記接続した機器に存在するフォルダまたはファイルの編集機能、および前記ユーザのアカウントに構成されたネットワークドライブを通じてクラウドストレージに格納されたフォルダまたはファイルの編集機能を提供すること、
を含む、請求項１に記載の無線接続方法。
【請求項１３】
前記統合管理することは、
前記接続した機器と関連する物理的なドライブへのアクセスを許可すること、
を含む、請求項１に記載の無線接続方法。
【請求項１４】
デバイスの無線接続方法を実行させるために格納媒体に格納されたコンピュータプログラムであって、
前記無線接続方法は、
ユーザのアカウントによってリモートアクセスが可能な機器のリストを提供し、
前記リモートアクセスが可能な機器のリストに基づいて少なくとも１つ以上の機器を接続し、
前記接続した機器に存在するフォルダのリストおよび前記フォルダに含まれたファイルのリストをアップデートし、
前記接続した機器と関連するファイルを統合管理すること、
を含む、格納媒体に格納されたコンピュータプログラム。
【請求項１５】
コンピュータで実現される無線接続システムであって、
ユーザのアカウントによってリモートアクセスが可能な機器のリストを提供する提供部、
前記リモートアクセスが可能な機器のリストに基づいて少なくとも１つ以上の機器を接続する接続部、
前記接続した機器に存在するフォルダのリストおよび前記フォルダに含まれたファイルのリストをアップデートするアップデート部、および
前記接続した機器と関連するファイルを統合管理する管理部
を備える、無線接続システム。
【請求項１６】
前記管理部は、
前記接続した機器と関連するファイルディレクトリを提供し、前記接続した機器のうちの第１電子機器から第２電子機器にアクセスが試行されることに応答し、前記第２電子機器に存在するファイルディレクトリを閲覧するように許可すること、
を特徴とする、請求項１５に記載の無線接続システム。
【請求項１７】
前記管理部は、
前記接続した機器のうちの第１電子機器から第２電子機器と関連するファイルがリクエストされることにより、前記第２電子機器から送信されて前記第１電子機器からリクエストされたファイルを受信し、前記第２電子機器から受信したファイルを前記第１電子機器に送信し、前記ファイルを前記第１電子機器のローカルドライブにダウンロードすること、
を特徴とする、請求項１６に記載の無線接続システム。
【請求項１８】
前記管理部は、
前記接続した機器と関連して提供されたファイルディレクトリから選択されたファイルを前記ユーザのアカウントによって構成されたネットワークドライブにアップロードすること
を含み、
前記ユーザのアカウントによって構成されたネットワークドライブは、
前記ユーザが利用する少なくとも１つ以上のサーバ上のクラウドストレージを連動させ、前記連動したクラウドストレージを統合管理すること
を特徴とする、請求項１６に記載の無線接続システム。
【請求項１９】
前記管理部は、
前記接続した機器のうちの第１電子機器から第２電子機器と関連するファイルを前記ネットワークドライブにアップロードすることがリクエストされることにより、前記第１電子機器からリクエストされた第２電子機器と関連するファイルを前記第２電子機器から受信し、前記第２電子機器から受信したファイルをネットワークドライブにアップロードすること、
を特徴とする、請求項１８に記載の無線接続システム。
【請求項２０】
前記管理部は、
前記接続した機器のうちの第１電子機器から前記ネットワークドライブにアップロードされたファイルに対してダウンロードがリクエストされ、前記第１電子機器からリクエストされたファイルを前記ネットワークドライブを通じてダウンロードし、前記ダウンロードしたファイルを第１電子機器のローカルドライブに送信すること、
を特徴とする、請求項１８に記載の無線接続システム。
【発明の詳細な説明】
【技術分野】
【０００１】
本発明の一実施形態は、電子機器を無線で接続させることによって電子機器に遠隔からアクセスする技術に関する。
【背景技術】
【０００２】
一般的には、装置間にケーブルを接続することによってデータの送受信が可能となる。インターネットの発展に伴い、電子メールやチャットサービスを利用することにより、装置間にケーブルを接続しなくてもデータを送受信することができるようになった。より詳細に説明すると、ある装置でチャットサービスが提供するファイル送信を利用してファイルをアップロードした後、他の装置でチャットサービスに接続してファイルをダウンロードして閲覧することができる。しかし、このような過程では、ある装置が他の装置でファイルが正常にダウンロードされたかを確認することは難しく、それぞれの装置でその都度ファイルを送信してダウンロードしなければならないという不便が存在する。
【０００３】
一方、デバイス（例えば、デスクトップ、ノート型パソコン、携帯用機器など）に格納されているデータは、インターネット上のクラウドストレージに格納されるようになり、ユーザは必要なときに自身のアカウントを利用することで、いつどこにいてもクラウドストレージに格納されたデータを利用することができるようになった。
【０００４】
これにより、クラウドサービスによってリモートアクセスが可能となる、装置間の無線接続技術が提案される必要がある。
【先行技術文献】
【特許文献】
【０００５】
【特許文献１】韓国公開特許第１０−２０１３−００２４６６８号
【特許文献２】韓国公開特許第１０−２０１５−００６７６４３号
【発明の概要】
【発明が解決しようとする課題】
【０００６】
本発明の目的の一つは、複数のクラウドストレージおよび複数の電子機器を無線接続してクラウドドライブサービス内でファイルを統合的に管理する方法およびシステムを提供することにある。
【０００７】
本発明の目的の一つは、電子機器間のリモートアクセスにより、ケーブルがなくても電子機器に接続してリストを照会および閲覧することができる無線接続システムおよび方法を提供することにある。
【課題を解決するための手段】
【０００８】
コンピュータで実現される無線接続システムで実行されるデバイスの無線接続方法は、ユーザのアカウントによってリモートアクセスが可能な機器のリストを提供し、前記リモートアクセスが可能な機器のリストに基づいて少なくとも１つ以上の機器を接続し、前記接続した機器に存在するフォルダのリストおよび前記フォルダに含まれたファイルのリストをアップデートし、前記接続した機器と関連するファイルを統合管理すること、を含む。
【０００９】
前記統合管理することは、前記接続した機器と関連するファイルディレクトリを提供することを含んでもよい。
【００１０】
前記統合管理することは、前記接続した機器のうちの第１電子機器から第２電子機器へのアクセスが試行されることに応答して、前記第２電子機器に存在するファイルディレクトリを閲覧するように許可することを含んでもよい。
【００１１】
前記統合管理することは、前記接続した機器のうちの第１電子機器から第２電子機器と関連するファイルがリクエストされることにより、前記第２電子機器から送信されて前記第１電子機器からリクエストされたファイルを受信し、前記第２電子機器から受信したファイルを前記第１電子機器に送信し、前記ファイルを前記第１電子機器のローカルドライブにダウンロードすることを含んでもよい。
【００１２】
前記統合管理することは、前記接続した機器と関連して提供されたファイルディレクトリから選択されたファイルを前記ユーザのアカウントによって構成されたネットワークドライブにアップロードすることを含み、前記ユーザのアカウントによって構成されたネットワークドライブは、前記ユーザが利用する少なくとも１つ以上のサーバ上のクラウドストレージを連動させ、前記連動したクラウドストレージを統合管理することを含んでもよい。
【００１３】
前記統合管理することは、前記接続した機器のうちの第１電子機器から第２電子機器と関連するファイルを前記ネットワークドライブにアップロードすることがリクエストされることにより、前記第１電子機器からリクエストされた第２電子機器と関連するファイルを前記第２電子機器から受信し、前記第２電子機器から受信したファイルをネットワークドライブにアップロードすることを含んでもよい。
【００１４】
前記統合管理することは、前記接続した機器のうちの第１電子機器から前記ネットワークドライブにアップロードされたファイルに対してダウンロードがリクエストされ、前記第１電子機器からリクエストされたファイルを前記ネットワークドライブを通じてダウンロードし、前記ダウンロードしたファイルを第１電子機器のローカルドライブに送信することを含んでもよい。
【００１５】
前記統合管理することは、前記第１電子機器または第２電子機器からリオクエストされた命令の進行状態を提供することを含んでもよい。
【００１６】
前記リモートアクセスが可能な機器のリストに基づいて少なくとも１つ以上の機器を接続することは、前記ユーザのアカウントに接続した機器とのマッピングを解除し、前記リモートアクセスが可能な機器のリストから削除することを含んでもよい。
【００１７】
前記リモートアクセスが可能な機器のリストから選択された少なくとも１つ以上の機器を接続することは、前記接続した機器の接続状態に応じて前記接続した機器のファイル／フォルダリストにアクセスが可能となるように提供することを含んでもよい。
【００１８】
前記統合管理することは、前記接続した機器に格納されたファイルを予め設定された類型に分類し、前記分類されたファイルのリストを提供することを含んでもよい。
【００１９】
前記統合管理することは、前記接続した機器に存在するフォルダまたはファイルの編集機能、および前記ユーザのアカウントに構成されたネットワークドライブを通じてクラウドストレージに格納されたフォルダまたはファイルの編集機能を提供することを含んでもよい。
【００２０】
前記統合管理することは、前記接続した機器と関連する物理的なドライブへのアクセスを許可することを含んでもよい。
【００２１】
デバイスの無線接続方法を実行させるために格納媒体に格納されたコンピュータプログラムであって、前記無線接続方法は、ユーザのアカウントによってリモートアクセスが可能な機器のリストを提供し、前記リモートアクセスが可能な機器のリストに基づいて少なくとも１つ以上の機器を接続し、前記接続した機器に存在するフォルダのリストおよび前記フォルダに含まれたファイルのリストをアップデートし、前記接続した機器と関連するファイルを統合管理すること、を含んでもよい。
【００２２】
コンピュータで実現される無線接続システムは、ユーザのアカウントによってリモートアクセスが可能な機器のリストを提供する提供部、前記リモートアクセスが可能な機器のリストに基づいて少なくとも１つ以上の機器を接続する接続部、前記接続した機器に存在するフォルダのリストおよび前記フォルダに含まれたファイルのリストをアップデートするアップデート部、および前記接続した機器と関連するファイルを統合管理する管理部を備えてもよい。
【００２３】
前記管理部は、前記接続した機器と関連するファイルディレクトリを提供し、前記接続した機器のうちの第１電子機器から第２電子機器にアクセスが試行されることに応答し、前記第２電子機器に存在するファイルディレクトリを閲覧するように許可してもよい。
【００２４】
前記管理部は、前記接続した機器のうちの第１電子機器から第２電子機器と関連するファイルがリクエストされることにより、前記第２電子機器から送信されて前記第１電子機器からリクエストされたファイルを受信し、前記第２電子機器から受信したファイルを前記第１電子機器に送信し、前記ファイルを前記第１電子機器のローカルドライブにダウンロードしてもよい。
【００２５】
前記管理部は、前記接続した機器と関連して提供されたファイルディレクトリから選択されたファイルを前記ユーザのアカウントによって構成されたネットワークドライブにアップロードすることを含み、前記ユーザのアカウントによって構成されたネットワークドライブは、前記ユーザが利用する少なくとも１つ以上のサーバ上のクラウドストレージを連動させ、前記連動したクラウドストレージを統合管理してもよい。
【００２６】
前記管理部は、前記接続した機器のうちの第１電子機器から第２電子機器と関連するファイルを前記ネットワークドライブにアップロードすることがリクエストされることにより、前記第１電子機器からリクエストされた第２電子機器と関連するファイルを前記第２電子機器から受信し、前記第２電子機器から受信したファイルをネットワークドライブにアップロードしてもよい。
【００２７】
前記管理部は、前記接続した機器のうちの第１電子機器から前記ネットワークドライブにアップロードされたファイルに対してダウンロードがリクエストされ、前記第１電子機器からリクエストされたファイルを前記ネットワークドライブを通じてダウンロードし、前記ダウンロードしたファイルを第１電子機器のローカルドライブに送信してもよい。
【発明の効果】
【００２８】
一実施形態に係る無線接続システムは、複数のクラウドストレージを連動させて管理するネットワークドライブおよびリモートアクセスが可能な複数の電子機器を統合的に管理することができる。
【００２９】
一実施形態に係る無線接続システムは、ユーザのアカウントに接続した電子機器に遠隔からアクセスしてファイルまたはフォルダをアップロード／ダウンロードすることができる。
【図面の簡単な説明】
【００３０】
【図１】一実施形態における、ネットワーク環境の例を示した図である。
【図２】一実施形態における、無線接続システムの構成を説明するためのブロック図である。
【図３】一実施形態における、無線接続システムで機器間の無線接続方法を説明するためのフローチャートである。
【図４】一実施形態における、無線接続システムで接続した機器を解除する方法を説明するためのフローチャートである。
【図５】一実施形態における、無線接続システムで機器間ファイルを移動させる方法を説明するための図である。
【図６】一実施形態における、無線接続システムでネットワークドライブにファイルをアップロードする方法を説明するための図である。
【図７】一実施形態における、無線接続システムで提供するクラウドドライブサービスを説明するための図である。
【図８】一実施形態における、クラウドドライブサービスで接続した電子機器を説明するための図である。
【図９】一実施形態における、クラウドドライブサービスで接続した電子機器を説明するための例図である。
【図１０】一実施形態における、クラウドドライブサービスでリモートアクセスが可能な電子機器のリストの閲覧を説明するための図である。
【図１１】一実施形態における、クラウドドライブサービスでリモートアクセスが可能な電子機器のリストの閲覧を説明するための図である。
【図１２】一実施形態における、クラウドドライブサービスでリモートアクセスが可能な電子機器のリストの閲覧を説明するための図である。
【図１３】一実施形態における、クラウドドライブサービスでリモートアクセスが可能な電子機器のリストの閲覧を説明するための図である。
【図１４】一実施形態における、クラウドドライブサービスでファイルを分類して表示した図である。
【図１５】一実施形態における、クラウドドライブサービスでファイルを分類して表示した図である。
【図１６】一実施形態における、クラウドドライブサービスで行われる作業状態を表示した図である。
【図１７】一実施形態における、クラウドドライブサービスで入力された検索語に対する検索結果を示した図である。
【図１８】一実施形態における、クラウドドライブサービスで提供されるファイルの形態を示した図である。
【図１９】一実施形態における、クラウドドライブサービスでクラウドストレージおよびリモートアクセスが可能な電子機器の設定を説明するための図である。
【図２０】一実施形態における、クラウドドライブサービスで選択されたファイルの詳細情報の提供を説明するための図である。
【発明を実施するための形態】
【００３１】
以下、実施形態について、添付の図面を参照しながら詳しく説明する。
【００３２】
図１は、一実施形態における、ネットワーク環境の例を示した図である。
【００３３】
図１のネットワーク環境は、機器１１０、無線接続システム１００、およびネットワーク１２０を含む例を示している。
【００３４】
機器１１０は、コンピュータ装置で実現される固定端末や移動端末であってもよい。機器１１０の例としては、スマートフォン（ｓｍａｒｔ  ｐｈｏｎｅ）、携帯電話、ナビゲーション、コンピュータ、ノート型パソコン、デジタル放送用端末、ＰＤＡ（Ｐｅｒｓｏｎａｌ  Ｄｉｇｉｔａｌ  Ａｓｓｉｓｔａｎｔｓ）、ＰＭＰ（Ｐｏｒｔａｂｌｅ  Ｍｕｌｔｉｍｅｄｉａ  Ｐｌａｙｅｒ）、タブレットなどがある。一例として、機器１１０は、無線または有線通信方式を利用し、ネットワーク１２０を介して他の機器および／またはサーバと通信してもよい。
【００３５】
通信方式が限定されることはなく、ネットワーク１２０が含むことのできる通信網（一例として、移動通信網、有線インターネット、無線インターネット、放送網）を活用する通信方式だけではなく、機器間の近距離無線通信が含まれてももよい。例えば、ネットワーク１２０は、ＰＡＮ（ｐｅｒｓｏｎａｌ  ａｒｅａ  ｎｅｔｗｏｒｋ）、ＬＡＮ（ｌｏｃａｌ  ａｒｅａ  ｎｅｔｗｏｒｋ）、ＣＡＮ（ｃａｍｐｕｓ  ａｒｅａ  ｎｅｔｗｏｒｋ）、ＭＡＮ（ｍｅｔｒｏｐｏｌｉｔａｎ  ａｒｅａ  ｎｅｔｗｏｒｋ）、ＷＡＮ（ｗｉｄｅ  ａｒｅａ  ｎｅｔｗｏｒｋ）、ＢＢＮ（ｂｒｏａｄｂａｎｄ  ｎｅｔｗｏｒｋ）、インターネットなどのネットワークのうちの１つ以上の任意のネットワークを含んでもよい。さらに、ネットワーク１２０は、バスネットワーク、スターネットワーク、リングネットワーク、メッシュネットワーク、スター−バスネットワーク、ツリーまたは階層的（ｈｉｅｒａｒｃｈｉｃａｌ）ネットワークなどを含むネットワークトポロジのうちの任意の１つ以上を含んでもよいが、これらに限定されることはない。
【００３６】
無線接続システム１００は、機器１１０とネットワーク１２０を介して通信して命令、コード、ファイル、コンテンツ、サービスなどを提供するコンピュータ装置または複数のコンピュータ装置で実現されてもよい。一例として、無線接続システム１００は、ネットワーク１２０を介して接続した機器１１０にアプリケーションのインストールのためのファイルを提供してもよい。この場合、機器１１０は、無線接続システム１００から提供されたファイルを利用してアプリケーションをインストールしてもよい。また、機器１１０が含むオペレーティングシステム（Ｏｐｅｒａｔｉｎｇ  Ｓｙｓｔｅｍ：ＯＳ）や少なくとも１つのプログラム（一例として、ブラウザや前記インストールされたアプリケーション）の制御にしたがって無線接続システム１００に接続して無線接続システム１００が提供するサービスやコンテンツの提供を受けてもよい。
【００３７】
一例として、機器１１０にクラウドドライブサービスがインストールされたとする。例えば、機器１１０にプラットフォームまたはアプリケーションを通じてクラウドドライブサービスがインストールされてもよい。クラウドドライブサービスは、ユーザのアカウントに複数のクラウドストレージを連動させてクラウドストレージに対するメタサービスを提供し、ユーザのアカウントによってリモートアクセスが可能な電子機器を無線で接続させることにより、ケーブルがなくても機器間でファイルを送受信できるように仲介するブリッジの役割を担ってもよい。
【００３８】
図２は、一実施形態における、無線接続システムの構成を説明するためのブロック図であり、図３は、一実施形態における、無線接続システムで機器間の無線接続方法を説明するためのフローチャートである。
【００３９】
無線接続システム１００のプロセッサ２００は、クラウドドライブサービスを通じて機器のリモートアクセスを提供するためのものであって、提供部２１０、接続部２２０、アップデート部２３０、および管理部２４０を備えてもよい。実施形態によって、プロセッサ２００の各構成要素は、選択的にプロセッサ２００外にあってもよい。また、実施形態によって、プロセッサ２００の各構成要素は、プロセッサ２００の機能の表現のために分離されてもよく、まとめられてもよい。
【００４０】
このようなプロセッサ２００およびプロセッサ２００の構成要素は、図３の無線接続方法に含まれるステップ３１０〜３４０を実行するように無線接続システムを制御してもよい。このとき、プロセッサ２００およびプロセッサ２００の構成要素は、メモリが含むオペレーティングシステム（ＯＳ）のコードと少なくとも１つのプログラムのコードによる命令（ｉｎｓｔｒｕｃｔｉｏｎ）を実行するように実現されてもよい。ここで、プロセッサ２００の構成要素は、無線接続システム１００に格納されたプログラムコードが提供する制御命令にしたがってプロセッサ２００によって実行される互いに異なる機能（ｄｉｆｆｅｒｅｎｔ  ｆｕｎｃｔｉｏｎｓ）の表現であってもよい。
【００４１】
プロセッサ２００は、無線接続方法のためのプログラムのファイルに格納されたプログラムコードをメモリにロードしてもよい。例えば、無線接続システム１００でプログラムが実行されると、プロセッサは、ＯＳの制御にしたがってプログラムのファイルからプログラムコードをメモリにロードするように無線接続システムを制御してもよい。
【００４２】
ステップ３１０で、提供部２１０は、ユーザのアカウントによってリモートアクセスが可能な機器のリストを提供してもよい。クラウドドライブサービスには、ユーザのアカウントによってログインしてもよい。ユーザーのアカウントにクラウドドライブサービスに機器を登録することにより、ユーザーアカウントに関連付けられてリモートアクセスが可能な機器のリストを提供することができる。
【００４３】
ステップ３２０で、接続部２２０は、リモートアクセスが可能な機器に基づいて少なくとも１つ以上の機器を接続してもよい。例えば、接続部２２０は、ユーザのアカウントによるクラウドドライブサービスに提供されたリモートアクセスが可能な機器のリストに基づき、機器の状態がオン（Ｏｎ）である機器をユーザのアカウントに接続させてもよいし、ユーザからクラウドドライブサービスに提供されたリモートアクセスが可能な機器のリストのうちの少なくとも１つの機器を選択し、ユーザのアカウントに選択された機器を接続させてもよい。また、接続部２２０は、ユーザのアカウントに接続した機器とのマッピングを解除することにより、リモートアクセスが可能な機器のリストからマッピングを解除した機器を削除してもよい。
【００４４】
ステップ３３０で、アップデート部２３０は、接続した機器に存在するフォルダのリストおよびフォルダに含まれたファイルのリストをアップデートしてもよい。アップデート部２３０は、接続した機器のアクセス権限が有効となっているかを判断し、機器の状態および機器に存在するリストをアップデートしてもよい。アップデート部２３０は、接続した機器のアクセス権限が有効でない場合、機器の状態および機器のリストをアップデートしてもよい。アップデート部２３０は、接続した機器のアクセス権限が有効な場合、リモートアクセス状態をアップデートしてもよく、リモートアクセス状態をアップデートすることにより、フォルダのリストおよびフォルダに含まれたファイルのリストをアップデートしてもよい。
【００４５】
ステップ３４０で、管理部２４０は、接続した機器と関連するファイルを統合管理してもよい。管理部２４０は、接続した機器と関連するファイルディレクトリを提供してもよい。管理部２４０は、接続した機器のうちの第１電子機器から第２電子機器へのアクセスが試行されることに応答し、第２電子機器に存在するファイルディレクトリを第１電子機器が閲覧することを許可してもよい。このとき、管理部２４０は、接続した機器の接続状態に応じ、接続した機器のファイル／フォルダリストにアクセスが可能となるように提供してもよい。
【００４６】
一例として、管理部２４０は、接続した機器のうちの第１電子機器から第２電子機器と関連するファイルがリクエストされることにより、第２電子機器から送信された第１電子機器からリクエストされたファイルを受信し、第２電子機器から受信したファイルを第１電子機器に送信し、ファイルを前記第１電子機器のローカルドライブにダウンロードしてもよい。このとき、管理部２４０は、第１電子機器または第２電子機器からリクエストされた命令の進行状態を提供してもよい。
【００４７】
他の例として、管理部２４０は、接続した機器と関連して提供されたファイルディレクトリから選択されたファイルをユーザのアカウントによって構成されたネットワークドライブにアップロードしてもよい。管理部２４０は、接続した機器のうちの第１電子機器から第２電子機器と関連するファイルをネットワークドライブにアップロードすることをリクエストされることにより、第１電子機器からリクエストされた第２電子機器と関連するファイルを第２電子機器から受信し、第２電子機器から受信したファイルをネットワークドライブにアップロードしてもよい。また、管理部２４０は、接続した機器のうちの第１電子機器からネットワークドライブにアップロードされたファイルに対してダウンロードがリクエストされ、第１電子機器からリクエストされたファイルを前記ネットワークドライブを介してダウンロードし、ダウンロードしたファイルを第１電子機器のローカルドライブに送信してもよい。
【００４８】
図４は、一実施形態における、無線接続システムで接続した機器を解除する方法を説明するためのフローチャートである。
【００４９】
無線接続システムは、クラウドドライブサービスによって機器間の無線接続が可能となるように提供してもよい。このとき、機器のそれぞれのプラットフォームにクラウドドライブサービスがインストールされていてもよい。クラウドドライブサービスとは、ユーザが利用する少なくとも１つ以上のクラウドストレージを連動させ、連動したクラウドストレージを統合管理するネットワークドライブ機能と機器を無線で接続する機能とを統合的に提供する空間を意味してもよい。
【００５０】
クラウドドライブサービスには、ユーザのアカウントによってログインしてもよい。クラウドドライブサービスは、ユーザのアカウントによってリモートアクセスが可能な機器のリストを提供してもよい。このとき、それぞれの機器は、クラウドドライブサービスがインストールされていなければならず、無線接続設定および活性化状態がオン（Ｏｎ）でなければならない。ユーザは、リモートアクセスが可能な機器のリストから無線で接続しようとする少なくとも１つ以上の機器を選択してもよい。無線接続システムは、選択された機器を接続させてもよい。これにより、無線接続システムは、クラウドドライブサービスにより、現在使用中である機器に格納されたファイル／フォルダを、ドライブサービスに接続したさらに他の機器がファイル／フォルダをダウンロードできるようになり、ドライブサービスに接続したさらに他の機器に存在するファイル／フォルダを、現在使用中である機器にダウンロードできるようになる。言い換えれば、無線接続システムは、クラウドドライブサービスに接続した少なくとも１つ以上の機器間で、リモートアクセスによってデータを送受信できるように提供することができる。
【００５１】
一方、無線接続システムは、クラウドドライブサービスに接続した機器の接続状態を変更してもよい。例えば、ユーザから、クラウドドライブサービスに接続した機器の接続が解除されてもよい。無線接続システムは、クラウドドライブサービスに接続した機器のうちの少なくとも１つ以上の機器の接続解除を受信してもよい。図４では、クラウドドライブサービスに接続した第１電子機器の接続を解除する方法について説明している。
【００５２】
無線接続システムは、第１電子機器の接続が解除されたかを判断してする（４１０）。このとき、第１電子機器の接続が解除されていない場合には、プロセスを終了する。無線接続システムは、第１電子機器の接続が解除されることにより、第１電子機器で遠隔作業が進行中であるかを判断する（４２０）。例えば、第１電子機器から第２電子機器への遠隔作業が進行中であったり、第２電子機器から第１電子機器に遠隔作業が実行されて第１電子機器にファイルが移動中であったりする。このとき、無線接続システムは、第１電子機器で遠隔作業が進行中である場合には、遠隔作業を取り消すかを問い合わせる（４２１）。無線接続システムは、ユーザから遠隔作業を取り消さないという返答を受信した場合、プロセスを終了する。ユーザから遠隔作業を取り消すという返答を受信した場合、遠隔作業を中断させる（４２２）。無線接続システムは、第１電子機器の遠隔作業を中断することにより、第１電子機器のアクセス権限を変更する（４３０）。
【００５３】
無線接続システムは、第１電子機器で遠隔作業が進行中でないと判断すると、第１電子機器のアクセス権限を変更する（４３０）。ここで、アクセス権限とは、接続可能な機器のリストに、第１電子機器が他の機器と無線で接続できないように設定することを意味してもよい。例えば、無線接続システムは、第１電子機器のネットワーク接続設定および活性化状態をオフ（Ｏｆｆ）に変更してもよい。
【００５４】
無線接続システムは、第１電子機器のアクセス権限を変更させることにより、第１電子機器のアクセス状態をアップデートする（４４０）。このとき、ユーザのアカウントによってクラウドドライブサービスに接続中であるそれぞれの機器にリモートアクセスが可能なリストとして提供されていた第１電子機器が削除されてもよく、第１電子機器と関連するフォルダのリストおよびフォルダに含まれたファイルのリストは提供されなくなる。これにより、無線接続システムは、第１電子機器の接続解除を完了してもよい。
【００５５】
図５は、一実施形態における、無線接続システムで機器間にファイルを移動させる方法を説明するための図である。
【００５６】
図５では、ユーザのアカウントによって接続した第１電子機器５１０および第２電子機器５１１間でファイルを送信する過程について説明する。このとき、第１電子機器５１０および第２電子機器５１１は、同じ種類の機器であってもよく、異なる機器であってもよい。第１電子機器５１０はデスクトップであり、第２電子機器５１１はモバイル機器であると仮定する。より詳細に説明すると、第１電子機器はＯＳがｗｉｎｄｏｗｓ（登録商標）にであってよく、第２電子機器５１１はＯＳがＡｎｄｒｏｉｄ（登録商標）またはｉＯＳ（登録商標）であってもよい。無線接続システムは、クラウドドライブサービスに接続したユーザのアカウントによってリモートアクセスが可能な機器のリストおよび機器に存在するフォルダ／ファイルのリストを提供してもよい。
【００５７】
無線接続システムは、第１電子機器５１０から第２電子機器５１１と関連するファイルリスト（Ｌｉｓｔ）の照会リクエストを受信する。無線接続システムは、第２電子機器５１１に、第２電子機器５１１と関連するファイルのリストをリクエストする。第２電子機器５１１は、第１電子機器から照会されるファイルのリストを抽出して無線接続システムに伝達してもよい。無線接続システムは、第２電子機器５１１から伝達されたファイルのリストを受信してもよい。このように、無線接続システムは、ユーザのアカウントに接続した機器の原本データを格納するのではなく、メタデータを格納することにより、ファイルのリストおよびフォルダのリストを提供することができる。
【００５８】
第１電子機器５１０から第２電子機器５１１と関連するファイルのダウンロードがリクエストされたとする。無線接続システム１００は、第２電子機器５１１に第１電子機器５１０からリクエストされたファイルと関連する情報をリクエストしてもよい。第２電子機器５１１は、第１電子機器５１０からリクエストされたファイルを無線接続システム１００に伝達してもよい。無線接続システム１００は、第２電子機器５１１から送信されたファイルと関連する情報を受信してもよい。無線接続システム１００は、クラウドドライブサービスにより、第１電子機器５１０からリクエストされたファイルを提供してもよい。無線接続システムは、第１電子機器５１０のローカルドライブに前記ファイルをダウンロードしてもよい。
【００５９】
一実施形態に係る無線接続システムは、遠隔からアクセスしようとする電子機器を、使用中ではなくても、ユーザのアカウントに接続した電子機器にリモートアクセスすることにより、簡単にファイルまたはフォルダをアップロード／ダウンロードすることができる。
【００６０】
図６は、一実施形態における、無線接続システムでネットワークドライブにファイルをアップロードする方法を説明するための図である。
【００６１】
無線接続システム１００は、クラウドドライブサービスにより、ユーザのアカウントによって複数のクラウドストレージを統合的に管理するネットワークドライブを構成してもよい。例えば、それぞれのクラウドサービスでユーザの識別情報（例えば、メールアドレス、ＩＤ、およびパスワードなど）によって利用中であるＧｏｏｇｌｅドライブ（登録商標）やＤｒｏｐｂｏｘ（登録商標）などのクラウドストレージを含むクラウドドライブサービス７００のネットワークドライブに連動することを意味する。これに関し、ネットワークドライブの構成についての説明は、図７で詳細に説明する。
【００６２】
ユーザのアカウントによって接続した第１電子機器５１０および第２電子機器５１１の間でファイルをネットワークドライブにアップロードする過程について説明する。無線接続システム１００は、第１電子機器５１０から第２電子機器５１１と関連するファイルリストの照会リクエストを受信する。無線接続システム１００は、第２電子機器５１１に第２電子機器５１１と関連するファイルリストをリクエストする。無線接続システムは、第２電子機器５１１から伝達されたファイルリストを受信する。
【００６３】
より詳細には、第１電子機器５１０は、第２電子機器５１１に存在するファイルをネットワークドライブにアップロードすることをリクエストする。無線接続システム１００は、第１電子機器５１０からリクエストされたファイルが第２電子機器５１１に存在するか否かを判断し、存在した場合第２電子機器５１１に前記ファイルの送信をリクエストする。第２電子機器５１１は、無線接続システム１００に前記ファイルを送信し、無線接続システム１００は、第２電子機器５１１から送信されたファイルを受信する。無線接続システム１００は、第２電子機器５１１から受信したファイルをネットワークドライブにアップロードする。このとき、ファイルは、ネットワークドライブを構成する複数のクラウドストレージのうちの少なくとも１つのクラウドストレージにアップロードされてもよい。
【００６４】
図７は、一実施形態における、無線接続システムで提供するクラウドドライブサービスを説明するための例である。
【００６５】
図７〜図２０では、クラウドドライブサービスにより、統合的にファイルを管理するユーザインタフェースを示している。このような、クラウドドライブサービスによって接続した機器に存在するフォルダまたはファイルの編集機能、およびユーザのアカウントに構成されたネットワークドライブを通じてクラウドストレージに格納されたフォルダまたはファイルの編集機能が提供される。より詳細には、クラウドドライブサービスにより、ファイルディレクトリ閲覧、ファイルをネットワークドライブのクラウド空間にアップロード、ファイルをローカルにダウンロード、ファイル削除および移動などのファイル編集機能を実行してもよい。
【００６６】
無線接続システム１００は、クラウドドライブサービス７００により、複数のクラウドストレージに基づいて構成されたネットワークドライブのリストおよび無線接続が可能な機器のリストを提供してもよい。ユーザは、クラウドドライブサービス７００により、簡単にクラウドストレージにアクセスできるだけでなく、無線で機器を接続することができ、無線で接続した機器間でデータを送受信することができる。さらに、無線で接続した機器間で送受信されるデータをクラウドストレージにアップロードすることもできる。
【００６７】
無線接続システム１００は、ユーザのアカウントによって第１クラウドストレージにアクセスすることのできる仮想のネットワークドライブを構成してもよい。このように構成された仮想のネットワークドライブは、ネットワークを介してインターネット上の第１クラウドストレージに格納された内容をユーザのアカウントのクラウドドライブサービス７００の内部に読み込む役割はもちろん、電子機器に格納された内容を第１クラウドストレージにアップロードする役割を実行することもできる。無線接続システムは、ユーザが利用する少なくとも１つの第２クラウドストレージとユーザと関連する少なくとも１つのデバイスのうちの少なくとも１つの外部ストレージを連動させてもよい。無線接続システムは、ネットワークドライブを通じて外部ストレージそれぞれに対するドライブを連動させてもよい。このとき、第２クラウドストレージは、第１クラウドストレージと関連するサーバとは異なるサーバ上のクラウドサービスプラットフォームで提供されることにより、クラウドドライブサービス７００によってユーザが利用する他のクラウドストレージ、すなわち、第２クラウドストレージを連動してもよい。無線接続システムは、ネットワークドライブと電子機器との共有のためにオープンＡＰＩ（ｏｐｅｎ  ａｐｐｌｉｃａｔｉｏｎ  ｐｒｏｇｒａｍｍｉｎｇ  ｉｎｔｅｒｆａｃｅ）を提供してもよい。
【００６８】
無線接続システムは、ユーザのアカウントによってクラウドドライブサービスのためのアプリケーションがインストールされた他の機器を収集して連動してもよいし、１つの機器を通じて他の機器の情報を登録することによって該当の機器と連動してもよい。クラウドドライブサービス７００に、機器のリストおよびリモートアクセスが可能な機器のリストが表示されてもよい。
【００６９】
クラウドドライブサービス７００は、マイドライブ領域７１０にクラウドストレージを連動させることにより、生成されたネットワークドライブのリストを提供してもよい。クラウドドライブサービス７００は、基本的に、第１クラウドストレージにアクセスするための「ドライブ」フォルダ７１１を含んでもよい。クラウドドライブサービス７００には、最上位（１ｄｅｐｔｈ）フォルダであるルートフォルダ、例えば「マイドライブ」が生成され、ルートフォルダである「マイドライブ」内に、ユーザに提供される第１クラウドストレージのサービスフォルダである「ドライブ」フォルダ７１１が生成されてもよい。
【００７０】
クラウドドライブサービス７００は、マイデバイス領域７２０にリモートアクセスが可能な機器のリストを提供してもよい。クラウドドライブサービス７００は、最上位（１ｄｅｐｔｈ）フォルダであるルートフォルダ、例えば「マイデバイス」が生成され、ルートフォルダである「マイデバイス」内に、リモートアクセスが可能な機器に対するフォルダが生成されてもよい。このとき、クラウドドライブサービス７００は、リモートアクセスが可能な機器が存在しない場合には、マイデバイス領域７２０に「リモートアクセスが可能なデバイスはありません。」のようなリモートアクセスが可能な機器が存在しないことを示すメッセージを出力してもよい。
【００７１】
また、クラウドドライブサービス７００は、追加で、クラウドストレージを連動させるためのユーザインタフェース７１２、およびリモートアクセスが可能な機器を追加するためのユーザインタフェース７２２を提供してもよい。クラウドドライブサービス７００は、前記ユーザインタフェース７１２を通じてネットワークドライブにクラウドストレージを追加で連動させてよく、連動したクラウドストレージに対してサービスフォルダを生成してもよい。また、クラウドドライブサービス７００は、前記ユーザインタフェース７２２を通じてリモートアクセスが可能な機器を追加することにより、追加された機器に対してサービスフォルダを生成してもよい。
【００７２】
一実施形態に係る無線接続システムは、クラウドドライブサービスによってユーザが使用中である他のクラウドサービスや機器を追加することにより、サービスごとにログインする必要なく、サービス間の連動によって統合管理環境を提供することができる。また、無線接続システムは、機器に存在するファイルの書き込み機能を提供し、ファイルを閲覧した後に修正してそのまま格納するなどの機能や、ファイル内容のプレビュー機能などを提供することもできる。
【００７３】
一例として、クラウドドライブサービス７００に存在するマイデバイス領域７２０に、リモートアクセスが可能な機器のリストがコンテンツ領域に表示されたとする。このとき、コンテンツ領域に表示された機器は、それぞれの機器に関する詳細情報を確認できるユーザインタフェースを提供してもよい。例えば、クラウドドライブサービス７００は、機器の名称、機器のモデル、機器のＯＳ情報、機器の使用容量／全体容量、機器が接続した日付などを提供してよく、機器の接続／解除機能を提供するユーザインタフェースを提供してもよい。また、クラウドドライブサービス７００は、機器の名称を変更できるようにユーザインタフェースを提供してもよく、前記ユーザインタフェースを通じて機器の名称を変更してもよい。
【００７４】
図８を参照すると、クラウドドライブサービス７００のマイデバイス領域７２０には、リモートアクセスが可能な機器のリスト７２０として、ｉＯＳ（踏力商標）またはＡｎｄｒｏｉｄ（登録商標）によって駆動するモバイル機器および／またはｗｉｎｄｏｗｓ（登録商標）によって駆動するコンピュータが表示されてもよい。言い換えれば、クラウドドライブサービス７００のマイデバイス領域７２０には、リモートアクセスが可能な機器に対するサービスフォルダが表示されてもよい。このとき、マイデバイス領域７２０に存在するサービスフォルダが機器の名称で表示されてもよく、追ってユーザによって変更されてもよい。例えば、マイデバイス領域７２０に存在するサービスフォルダには、リモートアクセスが可能な機器の名称、前記機器のアイコン、前記機器の装置名またはモデル名、前記機器の接続状態などが含まれてもよい。このとき、図８では、クラウドドライブサービス７００に、リモートアクセスが可能な機器としてｗｉｎｄｏｗｓ（登録商標）８００が表示されたことを示している。
【００７５】
クラウドドライブサービス７００のマイデバイス領域７２０に提供されたリモートアクセスが可能な機器のリストでは、ｗｉｎｄｏｗｓ（登録商標）８００に構成されたドライブのリストおよびドライブに含まれたフォルダのリスト８１０が表示されてもよい。例えば、クラウドドライブサービス７００は、ｗｉｎｄｏｗｓ（登録商標）８００に構成されたローカルディスク（例えば、Ｃドライブ、Ｄドライブ、およびＥドライブなど）を表示してよく、それぞれのドライブに存在するフォルダのリストを表示してもよい。
【００７６】
クラウドドライブサービス７００のマイデバイス領域７２０からｗｉｎｄｏｗｓ（登録商標）８００が選択されたとする。図１０を参照すると、クラウドドライブサービス７００は、ｗｉｎｄｏｗｓ（登録商標）８００に構成されたドライブのリストをコンテンツ領域１０１０に表示してもよい。例えば、コンテンツ領域１０１０にＣドライブ、Ｄドライブ、およびＥドライブが表示されてよく、それぞれのドライブの名称、ドライブの使用量／全体使用量などが共に表示されてもよい。このとき、ユーザによって少なくとも１つのドライブが選択されることにより、選択されたドライブに含まれるフォルダおよび／またはファイルが提供されてもよい。
【００７７】
一方、図９では、クラウドドライブサービス７００のマイデバイス領域７２０に、リモートアクセスが可能な機器に対するサービスフォルダとしてモバイル機器が表示された例が示されている。クラウドドライブサービス７００は、リモートアクセスが可能な機器の接続状態を共に表示してもよい。例えば、クラウドドライブサービス７００により、リモートアクセスが可能な機器であるモバイル機器９００、９０１が表示されてもよい。図９において、モバイル１（９００）は非接続状態９２０であり、モバイル２（９０２）は接続状態９２１であると表示されている。
【００７８】
クラウドドライブサービス７００は、ユーザによってモバイル１（９００）と関連するフォルダが選択されたとしても、非接続状態９２０であるモバイル１（９００）のフォルダのリストおよびフォルダに含まれたファイルのリストを表示することはできない。このとき、非接続状態である機器が接続状態に変更された場合には、接続状態に変更された機器のフォルダのリストおよびフォルダに含まれたファイルのリストを読み込むことができる。例えば、クラウドドライブサービス７００は、モバイル２（９０１）に対するダウンロードフォルダ、写真、オーディオ、動画、ドキュメント、インストールファイルなどのフォルダ９１０を表示したとする。このとき、ユーザによってモバイル２（９０１）に存在するリストのうちから少なくとも１つが選択されることにより、コンテンツ領域に選択されたフォルダに関する情報が表示されてもよい。
【００７９】
図１１を参照すると、クラウドドライブサービス７００は、モバイル２（９０１）に構成されたフォルダのリストをコンテンツ領域１１１０に表示してもよい。このとき、コンテンツ領域１１１０には、ダウンロードフォルダ、写真、オーディオ、動画、ドキュメント、インストールファイルなどのフォルダが表示されてもよく、それぞれのフォルダの名称、フォルダに含まれたファイルの名称、フォルダ／ファイルの容量、フォルダ／ファイルの最終修正日、チェックボックスなどが共に表示されてもよい。このとき、ユーザによって少なくとも１つのフォルダが選択されることにより、選択されたフォルダに含まれたフォルダおよび／またはファイルが提供されてもよい。
【００８０】
図１０および図１１において、クラウドドライブサービスのコンテンツ領域１０１０、１１１０に表示されたファイルまたはフォルダを選択した後、特定のイベント（例えば、右マウスをクリック）が入力された場合、選択されたファイルまたはフォルダに対するダウンロード、ネットワークドライブへのアップロード、および詳細情報を選択するユーザインタフェースが提供されてもよい。また、クラウドドライブサービスは、コンテンツ領域１０１０、１１１０で所定のジェスチャ（例えば、ドラッグ＆ドロップなど）が利用されることにより、選択されたファイルまたはフォルダに対するダウンロード、ネットワークドライブへのアップロード、および詳細情報の提供などの編集を可能にしてもよい。
【００８１】
図１２を参照すると、クラウドドライブサービスのコンテンツ領域１２１０には、モバイル２のダウンロードフォルダに存在するフォルダおよびファイルのリストが表示されており、表示されたフォルダおよびファイルに対する名称、サイズ、最終修正日付などが共に表示されてもよい。
【００８２】
図１３を参照すると、クラウドドライブサービスのコンテンツ領域１２１０、１３００には、モバイル２のダウンロードフォルダに存在する少なくとも１つ以上のフォルダやファイルをダウンロードするダウンロードユーザインタフェース１３１０、ネットワークドライブにアップロードするアップロードユーザインタフェース１３２０、削除する削除ユーザインタフェース１３３０、および整列させ整列ユーザインタフェース１３５０が提供されてもよい。前記ユーザインタフェースにより、ダウンロードフォルダ１２００に存在するフォルダやファイルのダウンロード、アップロード、および削除などが処理されてもよい。また、整列ユーザインタフェース１３５０により、ダウンロードフォルダに存在するファイルを予め設定された基準（例えば、最近の修正日、古い修正日、容量のサイズ順、名称の昇順、名称の降順など）で整列させることができる。
【００８３】
より詳細には、クラウドドライブサービスにより、ユーザからモバイル２のダウンロードフォルダに存在するフォルダおよびファイルのうちの少なくとも１つが選択されたとする。これにより、ユーザから選択されたファイルをネットワークドライブにアップロードするために、「ドライブにアップロード」ユーザインタフェース１３２０が選択されてもよい。クラウドドライブサービスは、ユーザのアカウントによって構成されたネットワークドライブのうちからアップロードする位置を選択するユーザインタフェースを提供してもよい。ユーザは、第１ネットワークドライブのうちから特定のフォルダ１３４０を選択してもよい。クラウドドライブサービスは、ユーザが選択した第１ネットワークドライブの特定のフォルダ１３４０にユーザから選択されたファイルをアップロードしてもよい。これにより、ユーザが使用していない機器に存在するファイルをネットワークドライブにアップロードすることが可能となる。
【００８４】
図１４および図１５は、一実施形態における、クラウドドライブサービスでファイルを分類して表示した例を示した図である。
【００８５】
図１４を参照すると、クラウドドライブサービスは、接続した機器に格納されたファイルを予め設定された類型に分類してコンテンツ領域１４００に提供してもよい。例えば、無線接続システムは、クラウドドライブサービスに存在するファイルを、写真、動画、ドキュメントなどを基準に分類してもよく、分類されたファイルをそれぞれの基準でまとめてサムネイル形態で提供してもよい。または、予め設定された基準の日付で分類してファイルを提供してもよい。このとき、クラウドドライブサービスに接続した機器の種類によっては、ファイルが予め設定された基準で分類されて提供されてもよいし、提供されなくてもよい。例えば、モバイル機器でコンピュータに格納されたファイルを閲覧するときに、モバイル機器で接続したクラウドドライブサービス１４００により、コンピュータに格納されたファイルが写真、動画、ドキュメントなどに分類されて提供されてもよい。
【００８６】
図１５を参照すると、クラウドドライブサービスは、ネットワークドライブに格納されたファイルに対するビューア機能を提供してもよい。ビューア機能の一例として、クラウドドライブサービスに格納されたファイルをファイルの種類ごとに集め、リストを構成して表示するライブラリ１５１０機能を提供してもよい。例えば、クラウドドライブサービスに、クラウドストレージ内に写真タイプのファイルだけを集めて写真リストを構成してコンテンツ領域１５００に表示するための写真ライブラリユーザインタフェース、ドキュメントタイプのファイルだけを集めてドキュメントリストを構成してコンテンツ領域１５００に表示するためのドキュメントライブラリユーザインタフェース、ビデオタイプのファイルだけを集めてビデオリストを構成してコンテンツ領域１５００に表示するためのビデオライブラリユーザインタフェースなどを提供してもよい。コンテンツ領域１５００に表示された写真の場合、サムネイル形態で提供されてもよく、写真プレビュー、次／前の写真にスライド、写真回転などを提供してもよい。
【００８７】
また、クラウドドライブサービスは、写真の場合、重複写真を分類して整理する機能を提供してもよい。一例として、無線接続システムは、写真の構図、色相、被写体などの類似度に基づいて類似の写真をグループ化してもよく、グループ化された結果内の写真の全体または一部を削除することも可能である。他の例として、無線接続システムは、写真のメタ情報やタグなどに基づいたフィルタリング（例えば、日付、地域、テーマ、天気、時間など）によって重複写真を分類してもよく、分類された結果を写真リストで提供してもよい。これも同様に、分類された結果による写真リストから全体または一部を削除することが可能である。
【００８８】
図１６は、一実施形態における、クラウドドライブサービスで行われる作業状態を表示した図である。
【００８９】
クラウドドライブサービスは、第１電子機器または第２電子機器からリクエストされた命令の進行状態を提供してもよい。第１電子機器から第２電子機器に格納されたファイルをダウンロードする場合、第１電子機器および第２電子機器にダウンロードされるファイルの進行状態情報１６１０が提供されてもよい。例えば、クラウドドライブサービスにより、「Ｎ件の項目のダウンロード中です。」のようなメッセージが出力されてもよい。
【００９０】
また、クラウドドライブサービスは、ファイルのダウンロードだけではなく、ファイルのアップロード、ファイルの移動、ファイルのコピー、ファイルの削除、ファイルの修正などのような編集の進行状態情報も提供してもよい。このとき、無線接続システムは、クラウドドライブサービスによって前記編集の進行状態情報を提供してもよく、それぞれの機器の特定された領域に進行状態情報をリアルタイムで提供してもよい。
【００９１】
図１７は、一実施形態における、クラウドドライブサービスで入力された検索語に対する検索結果を示した図である。
【００９２】
クラウドドライブサービスは、検索語を入力する統合検索機能を提供してもよい。一例として、コンテンツ領域１７００には、ファイル名を検索する検索ウィンドウ１７１０が提供されてもよい。このとき、クラウドドライブサービスにより、ネットワークドライブまたは接続した機器に存在するファイルを検索してもよい。また、クラウドドライブサービスは、ネットワークドライブおよび接続した機器に存在する全体ファイルを検索する機能を提供してもよいし、ユーザから選択されたフォルダの位置でファイルを検索する機能を提供してもよい。ユーザから検索語が入力されることにより、クラウドドライブサービスは、コンテンツ領域１７００に検索語に対応する検索結果を提供してもよい。
【００９３】
図１８を参照すると、クラウドドライブサービスで検索結果として提供されるファイルの形態が示されている。クラウドドライブサービスは、検索語に対する検索結果を、リスト形態またはタイル形態で提供してもよい。クラウドドライブサービスは、検索結果に対応するファイルの情報（例えば、ファイルの名称、ファイルのサイズ、ファイルが格納された位置、ファイルが格納された時間など）を提供してもよい。また、クラウドドライブサービスに提供された検索結果からユーザによって選択されたファイルに関する詳細情報を提供してもよい。
【００９４】
図１８（ａ）を参照すると、クラウドドライブサービスが検索結果をリスト形態で提供したものが示されており、図１８（ｂ）を参照すると、クラウドドライブサービスが検索結果をタイル形態で提供したものが示されている。クラウドドライブサービスは、基本的にはファイルをリスト形態で整列して提供してもよいが、ユーザの設定によってはタイル形態に変更されてもよい。
【００９５】
図１９は、一実施形態における、クラウドドライブサービスでクラウドストレージおよびリモートアクセスが可能な機器の設定を説明するための図である。
【００９６】
クラウドドライブサービス１９００は、ネットワークドライブを設定する機能、接続した機器を設定する機能を提供してもよい。クラウドドライブサービス１９００は、クラウドドライブサービス１９００のネットワークドライブに連動したクラウドストレージに関する情報を提供してもよく、クラウドストレージに格納されたデータを同期化する進行状態情報を提供してもよい。また、クラウドドライブサービス１９００は、ネットワークドライブに連動したクラウドストレージの接続を解除するユーザインタフェース１９１０を提供してもよく、前記ユーザインタフェース１９１０を通じて連動するクラウドストレージの接続を解除してもよい。
【００９７】
クラウドドライブサービス１９００は、クラウドドライブサービス１９００にユーザのアカウントによって接続した機器の情報を提供してもよい。このとき、接続した機器の名称やモデル、接続した時間情報などが表示されてもよい。クラウドドライブサービス１９００は、接続した装置を解除するユーザインタフェース１９２０を提供してもよく、前記ユーザインタフェース１９２０を通じて接続した機器の接続を解除してもよい。
【００９８】
図２０を参照すると、クラウドドライブサービスは、選択されたファイルに関する詳細情報を提供してもよい。クラウドドライブサービスでは、イメージ、ドキュメント、ビデオなどがリスト形態またはタイル形態で提供されてもよい。例えば、クラウドドライブサービスは、コンテンツ領域２０００に、ユーザから選択されたイメージファイルに対するイメージ２０１０およびイメージ詳細情報２０２０を提供してもよい。クラウドドライブサービスは、ユーザから選択されたイメージファイルの詳細情報２０２０として、ファイルの類型、ファイルのサイズ、位置、所有者、修正日、作成日、共有する共有インターフェース２０３０を提供してもよい。クラウドドライブサービスは、共有インターフェース２０３０により、クラウドドライブサービスに接続した他の機器と共有できるように提供してもよい。
【００９９】
上述した装置は、ハードウェア構成要素、ソフトウェア構成要素、および／またはハードウェア構成要素とソフトウェア構成要素との組み合わせによって実現されてもよい。例えば、実施形態で説明された装置および構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ、マイクロコンピュータ、ＦＰＧＡ（ｆｉｅｌｄ  ｐｒｏｇｒａｍｍａｂｌｅ  ｇａｔｅ  ａｒｒａｙ）、ＰＬＵ（ｐｒｏｇｒａｍｍａｂｌｅ  ｌｏｇｉｃ  ｕｎｉｔ）、マイクロプロセッサ、または命令を実行して応答することができる様々な装置のように、１つ以上の汎用コンピュータまたは特殊目的コンピュータを利用して実現されてもよい。処理装置は、オペレーティングシステム（ＯＳ）および前記ＯＳ上で実行される１つ以上のソフトウェアアプリケーションを実行してもよい。また、処理装置は、ソフトウェアの実行に応答し、データにアクセスし、データを格納、操作、処理、および生成してもよい。理解の便宜のために、１つの処理装置が使用されるとして説明される場合もあるが、当業者は、処理装置が複数個の処理要素および／または複数種類の処理要素を含んでもよいことが理解できるであろう。例えば、処理装置は、複数個のプロセッサまたは１つのプロセッサおよび１つのコントローラを含んでもよい。また、並列プロセッサのような、他の処理構成も可能である。
【０１００】
ソフトウェアは、コンピュータプログラム、コード、命令、またはこれらのうちの１つ以上の組み合わせを含んでもよく、所望の動作をするように処理装置を構成したり、独立的または集合的に処理装置に命令したりしてもよい。ソフトウェアおよび／またはデータは、処理装置に基づいて解釈されたり、処理装置に命令またはデータを提供したりするために、いかなる種類の機械、コンポーネント、物理装置、仮想装置、コンピュータ格納媒体または装置に具現化されてもよい。ソフトウェアは、ネットワークによって接続されたコンピュータシステム上に分散され、分散された状態で格納されても実行されてもよい。ソフトウェアおよびデータは、１つ以上のコンピュータで読み取り可能な記録媒体に格納されてもよい。
【０１０１】
実施形態に係る方法は、多様なコンピュータ手段によって実行可能なプログラム命令の形態で実現されてコンピュータで読み取り可能な媒体に記録されてもよい。前記コンピュータで読み取り可能な媒体は、プログラム命令、データファイル、データ構造などを単独でまたは組み合わせて含んでもよい。前記媒体に記録されるプログラム命令は、実施形態のために特別に設計されて構成されたものであってもよいし、コンピュータソフトウェア当業者に公知な使用可能なものであってもよい。コンピュータで読み取り可能な記録媒体の例としては、ハードディスク、フロッピー（登録商標）ディスク、および磁気テープのような磁気媒体、ＣＤ−ＲＯＭ、ＤＶＤのような光媒体、フロプティカルディスク（ｆｌｏｐｔｉｃａｌ  ｄｉｓｋ）のような光磁気媒体、およびＲＯＭ、ＲＡＭ、フラッシュメモリなどのようなプログラム命令を格納して実行するように特別に構成されたハードウェア装置が含まれる。プログラム命令の例は、コンパイラによって生成されるもののような機械語コードだけではなく、インタプリタなどを使用してコンピュータによって実行される高級言語コードを含む。
【０１０２】
以上のように、実施形態を、限定された実施形態と図面に基づいて説明したが、当業者であれば、上述した記載から多様な修正および変形が可能であろう。例えば、説明された技術が、説明された方法とは異なる順序で実行されたり、かつ／あるいは、説明されたシステム、構造、装置、回路などの構成要素が、説明された方法とは異なる形態で結合されたりまたは組み合わされたり、他の構成要素または均等物によって対置されたり置換されたとしても、適切な結果を達成することができる。
【０１０３】
したがって、異なる実施形態であっても、特許請求の範囲と均等なものであれば、添付される特許請求の範囲に属する。
【符号の説明】
【０１０４】
１００：無線接続システム
１１０：機器
１２０：ネットワーク
【図１】
2019021290.tif 000003
【図２】
2019021290.tif 000004
【図３】
2019021290.tif 000005
【図４】
2019021290.tif 000006
【図５】
2019021290.tif 000007
【図６】
2019021290.tif 000008
【図７】
2019021290.tif 000009
【図８】
2019021290.tif 000010
【図９】
2019021290.tif 000011
【図１０】
2019021290.tif 000012
【図１１】
2019021290.tif 000013
【図１２】
2019021290.tif 000014
【図１３】
2019021290.tif 000015
【図１４】
2019021290.tif 000016
【図１５】
2019021290.tif 000017
【図１６】
2019021290.tif 000018
【図１７】
2019021290.tif 000019
【図１８】
2019021290.tif 000020
【図１９】
2019021290.tif 000021
【図２０】
2019021290.tif 000022